(57)【要約】【課題】嵩張る構造とすることなく、コンパクトに折りたたむことのできる折りたたみ式回収箱を提供する。【解決手段】前面部３と、上面部２と、背面部と、底面部と、左右一対の側面部４と、を有し、上面部２に紙類を投入するための左右方向へ延びる投入孔２ａが形成される回収箱において、各側面部４は前後中央にて左右内側へ折りたたみ可能とされ、上面部２は左右側端にそれぞれ折り曲げにより回動自在に接続される固定用突部を有し、各固定用突部は投入孔２ａと同じ前後位置に形成され、各側面部は上端に折り曲げにより回動自在に接続され上面部２の下面と当接する上面当接部を有し、上面当接部は上面部２の各固定用突部が差し込まれる固定孔が形成される【選択図】図１
0003188784.tif 000002
【実用新案登録請求の範囲】
【請求項１】
前面部と、上面部と、背面部と、底面部と、左右一対の側面部と、を有し、上面部に紙類を投入するための左右方向へ延びる投入孔が形成される回収箱において、
前記各側面部は、前後中央にて左右内側へ折りたたみ可能とされ、
前記上面部は、左右側端にそれぞれ折り曲げにより回動自在に接続される固定用突部を有し、
前記各固定用突部は、前記投入孔と同じ前後位置に形成され、
前記各側面部は、上端に折り曲げにより回動自在に接続され前記上面部の下面と当接する上面当接部を有し、
前記上面当接部は、前記上面部の前記各固定用突部が差し込まれる固定孔が形成される折りたたみ式回収箱。
【請求項２】
前記上面部は、前記前面部と折り曲げにより回動自在に接続され、
前記底面部は、前記前面部と前記背面部の少なくとも一方と折り曲げにより回動自在に接続され、
前記各側面部が左右内側へ折りたたまれ、前記上面部が前記前面部の前面側に重ねられ、前記底面部が前記前面部の前面側と前記背面部の背面側の少なくとも一方に重ねられ、前記折り返し部が前記背面部の背面側に重ねられた状態の折りたたみ形態とすることができる請求項１に記載の折りたたみ式回収箱。
【請求項３】
前記背面部の上端に折り曲げにより回動自在に接続され、前記背面部の背面に重なるよう配置される折り返し部と、
前記折り返し部の下端に形成され、前記折り返し部に折り曲げにより回動自在に接続され、前記背面部の受容孔に抜き差し自在に差し込まれ、前記回収箱の内部へ突出する突出部と、を備え、
前記折り返し部は、前記背面部の背面に重なる状態から前記上面部に重なる状態へ移動させられると前記投入孔を覆い、
前記上面部は、前記折り返し部が前記上面部に重なる状態のときに、前記突出部を差し込み可能な固定孔を有する請求項２に記載の折りたたみ式回収箱。
【請求項４】
前記前面部及び前記底面部により形成される角部と、前記突出部及び前記背面部により形成される角部と、の間に、撓んだ状態で差し込まれる整列板、を備え、
前記整列板は、前記突出部が前記背面部の前記受容孔から抜かれると、上方へ伸張して当該受容孔を塞ぐ請求項３に記載の折りたたみ式回収箱。
【請求項５】
前記背面部は、前記上面部よりも上方へ突出する延長部を有し、
前記延長部及び前記折り返し部は、互いに正面視にて重なる引っかけ孔をそれぞれ有する請求項３または４に記載の折りたたみ式回収箱。
【請求項６】
前記投入孔は、Ａ４サイズの紙類を投入可能であり、
折りたたまれた状態で角型０号サイズの封筒に封入可能である請求項１から５のいずれか１項に記載の折りたたみ式回収箱。
【考案の詳細な説明】
【技術分野】
【０００１】
本考案は、上面部に投入孔が形成され、この投入孔にアンケート用紙、投票用紙等の紙類が投入される折りたたみ式回収箱に関する。
【背景技術】
【０００２】
文書の回収箱として、内箱と外箱の二重箱構造としたものが提案されている（特許文献１参照）。この回収箱は内箱の上面部に投入孔が形成され、外箱の上面部の一部を開放して投入孔を露出させた状態で文書の回収が行われる。文書の回収が終了すると、外箱の上面部を閉塞して密封状態としている。
【先行技術文献】
【特許文献】
【０００３】
【特許文献１】特開２００８−３７４７０号公報
【考案の概要】
【考案が解決しようとする課題】
【０００４】
しかしながら、特許文献１に記載の回収箱は、内箱と外箱の二重箱構造であるため、嵩張ってしまい取り扱いが面倒である。また、コンパクトに折りたためないことから、運搬等に際して極めて不便である。
【０００５】
本考案は、前記事情に鑑みてなされたものであり、その目的とするところは、嵩張る構造とすることがなく、コンパクトに折りたたむことのできる折りたたみ式回収箱を提供することにある。
【課題を解決するための手段】
【０００６】
本考案によれば、前面部と、上面部と、背面部と、底面部と、左右一対の側面部と、を有し、上面部に紙類を投入するための左右方向へ延びる投入孔が形成される回収箱において、前記各側面部は、前後中央にて左右内側へ折りたたみ可能とされ、前記上面部は、左右側端にそれぞれ折り曲げにより回動自在に接続される固定用突部を有し、前記各固定用突部は、前記投入孔と同じ前後位置に形成され、前記各側面部は、上端に折り曲げにより回動自在に接続され前記上面部の下面と当接する上面当接部を有し、前記上面当接部は、前記上面部の前記各固定用突部が差し込まれる固定孔が形成される折りたたみ式回収箱が提供される。
【０００７】
上記折りたたみ式回収箱において、前記上面部は、前記前面部と折り曲げにより回動自在に接続され、前記底面部は、前記前面部と前記背面部の少なくとも一方と折り曲げにより回動自在に接続され、前記各側面部が左右内側へ折りたたまれ、前記上面部が前記前面部の前面側に重ねられ、前記底面部が前記前面部の前面側と前記背面部の背面側の少なくとも一方に重ねられ、前記折り返し部が前記背面部の背面側に重ねられた状態の折りたたみ形態とすることができることが好ましい。
【０００８】
上記折りたたみ式回収箱において、前記背面部の上端に折り曲げにより回動自在に接続され、前記背面部の背面に重なるよう配置される折り返し部と、前記折り返し部の下端に形成され、前記折り返し部に折り曲げにより回動自在に接続され、前記背面部の受容孔に抜き差し自在に差し込まれ、前記回収箱の内部へ突出する突出部と、を備え、前記折り返し部は、前記背面部の背面に重なる状態から前記上面部に重なる状態へ移動させられると前記投入孔を覆い、前記上面部は、前記折り返し部が前記上面部に重なる状態のときに、前記突出部を差し込み可能な固定孔を有することが好ましい。
【０００９】
上記折りたたみ式回収箱において、前記前面部及び前記底面部により形成される角部と、前記突出部及び前記背面部により形成される角部と、の間に、撓んだ状態で差し込まれる整列板、を備え、前記整列板は、前記突出部が前記背面部の前記受容孔から抜かれると、上方へ伸張して当該受容孔を塞ぐことが好ましい。
【００１０】
上記折りたたみ式回収箱において、前記背面部は、前記上面部よりも上方へ突出する延長部を有し、前記延長部及び前記折り返し部は、互いに正面視にて重なる引っかけ孔をそれぞれ有することが好ましい。
【００１１】
上記折りたたみ式回収箱において、前記投入孔は、Ａ４サイズの紙類を投入可能であり、折りたたまれた状態で角型０号サイズの封筒に封入可能であることが好ましい。
【考案の効果】
【００１２】
本考案によれば、回収箱が一重の構造であるので、従来の二重箱構造と比べて嵩張ることがない。また、各側面部を左右内側へ折りたたむことにより、回収箱をコンパクトに折りたたむことができる。
【図面の簡単な説明】
【００１３】
【図１】図１は、本考案の一実施形態を示す折りたたみ式回収箱の、前方から見た斜視図である。
【図２】図２は、折りたたみ式回収箱の、後方から見た斜視図である。
【図３】図３は、折りたたんだ状態の回収箱の、一方から見た斜視図である。
【図４】図４は、折りたたんだ状態の回収箱の、他方から見た斜視図である。
【図５】図５は、密封された状態の回収箱の、前方から見た斜視図である。
【図６】図６は、折りたたみ式回収箱の展開図である。
【図７】図７は、変形途中の折りたたみ式回収箱の斜視図である。
【図８】図８は、変形途中の折りたたみ式回収箱の斜視図である。
【図９】図９は、変形途中の折りたたみ式回収箱の斜視図である。
【考案を実施するための形態】
【００１４】
図１から図９は本考案の一実施形態を示すものであり、図１は折りたたみ式回収箱の、前方から見た斜視図である。
【００１５】
図１に示すように、この折りたたみ式回収箱１は、上面部２と、前面部３と、左右一対の側面部４と、底面部５と、背面部６と、を備えた直方体状の箱である。回収箱１の材質は任意であるが、本実施形態においては段ボールである。背面部６の上端側には上面部２よりも上方へ突出する延長部７が形成される。また、回収箱１は、背面部６の前面から前方へ突出する突出部８を備えている。さらに、回収箱１は、前面部３及び底面部５により形成される角部と、突出部８及び背面部６により形成される角部と、の間に、撓んだ状態で差し込まれた可撓性の整列板１００を有している。整列板１００の材質は任意であるが、本実施形態においては厚紙である。
【００１６】
上面部２には紙類を投入するための投入孔２ａが形成される。投入孔２ａは、上面部２の前後中央にて左右方向へ延びる。本実施形態においては、回収箱１にはＡ４サイズの紙が投入され、投入孔２ａの左右方向の寸法は、Ａ４サイズの横寸法よりも長く形成される。また、後述するように，回収箱１は折りたたんだ状態で角型０号サイズの封筒に封入されるため、上面部２等の左右方向の寸法は、角型０号サイズの横寸法よりも短く形成される。すなわち、この折りたたみ式回収箱１は、限られた寸法の制約下で実現されたものである。
【００１７】
延長部７は、上面部２から比較的短い区間だけ上方に突出しており、横長に形成される。延長部７には、左右方向に等間隔で並ぶ複数の引っかけ孔７ａが形成される。本実施形態においては、各引っかけ孔７ａは、それぞれ円形に形成される。
【００１８】
図２は、折りたたみ式回収箱の、後方から見た斜視図である。
図２に示すように、回収箱１は、背面部６の上端に折り曲げにより回動自在に接続され、背面部６の背面に重なるよう配置される折り返し部９を有している。折り返し部９の上端側には、左右方向に等間隔で並ぶ複数の引っかけ孔９ａが形成される。各引っかけ孔９ａは、それぞれ円形に形成され、延長部７の各引っかけ孔７ａと正面視にて重なっている。
【００１９】
この折りたたみ式回収箱は、図１及び図２に示す回収形態の他、図３及び図４に示す折りたたみ形態と、図５に示す密封形態を取り得る。各形態への変形の説明の前に、図６に示す展開図でさらに各部を詳細に説明する。図６は、折りたたみ式回収箱の展開図である。尚、展開図の説明において、前後、左右、上下の各方向については、図１及び図２の回収形態を基準として説明する。
【００２０】
図６に示すように、上面部２には、左右側端にそれぞれ折り曲げにより回動自在に接続される固定用突部２ｂが形成される。各固定用突部２ｂは、投入孔２ａと同じ前後位置に形成されている。各固定用突部２ｂは、図１及び図２に示す回収形態で、各側面部４の上面当接部４ａに形成された固定孔４ｂに差し込まれる。
【００２１】
上面部２の後端には、折り曲げにより回動自在に接続された差し込み部２ｃが形成される。差し込み部２ｃは、図１及び図２に示す回収形態で、各側面部４の上面当接部４ａと背面部６の前面との間に差し込まれる。
【００２２】
上面部２の前端には、左右一対の固定孔２ｄが形成される。各固定孔２ｄは、上面部２の前端に沿って左右方向に延びる。各固定孔２ｄは、折り返し部９が上面部２に重なった図５に示すような密封形態で、各突出部８が差し込まれる。
【００２３】
本実施形態においては、図６に示すように、上面部２が前面部３と折り曲げにより回動自在に接続される。すなわち、上面部２の前端と前面部３の上端が接続されている。また、前面部３は、図１及び図２に示す回収形態で底面部５の上側に重ねられる補助底面部１０と折り曲げにより回動自在に接続される。すなわち、前面部３の下端と補助底面部１０の前端とが接続されている。補助底面部１０の前端には、左右一対の固定孔１０ａが形成される。各固定孔１０ａは、補助底面部１０の前端に沿って左右方向に延びる。各固定孔１０ａは、図１及び図２に示す回収形態で、底面部５の各固定用突部５ａが差し込まれる。
【００２４】
本実施形態においては、図６に示すように、前面部３の左右両端の一方に、一方の側面部４と接着される接着部３ａが突出形成される。接着部３ａは、折り曲げにより前面部３に対して回動自在となっている。また、前面部３の左右両端の他方は、他方の側面部４と折り曲げにより回動自在に接続される。すなわち、接着部３ａを一方の側面部４と接着することにより、前面部３の左右両端と、各側面部４の前端が接続された状態となる。回収箱１は、接着部３ａと側面部４が接着された状態で使用に供される。
【００２５】
各側面部４は、上端に折り曲げにより回動自在に接続される上面当接部４ａを有する。各上面当接部４ａは、各側面部４の上端に沿って折り曲げ可能であり、図１及び図２に示す回収形態で、箱の左右内側方向へ折り曲げられ、上面部２の下面と当接する。
【００２６】
各上面当接部４ａの左右側端には、それぞれ固定孔４ｂが形成される。各固定孔４ｂは、上面当接部４ａの左右側端に沿って前後方向に延びる。各固定孔４ｂは、図１及び図２に示す回収形態で、上面部２の固定用突部２ｂがそれぞれ差し込まれる。
【００２７】
各側面部４は、下端に折り曲げにより回動自在に接続される底面当接部４ｃを有する。前後方向へわたって下方へ突出する底面当接部４ｃが形成される。各底面当接部４ｃは、各側面部４の下端に沿って折り曲げ可能であり、図１及び図２に示す回収形態で、箱の左右内側方向へ折り曲げられ、補助底面部１０と上面と当接する。
【００２８】
各側面部４，各上面当接部４ａ及び各底面当接部４ｃの前後中央には、各部の上下方向にわたって延びる折り曲げ線４ｄが形成される。各側面部４，各上面当接部４ａ及び各底面当接部４ｃは、図３及び図４に示す折りたたみ形態で、折り曲げ線４ｄにて左右内側に折りたたまれる。
【００２９】
本実施形態においては、図６に示すように、各側面部４が、背面部６と折り曲げにより回動自在に接続される。すなわち、各側面部４の後端が、背面部６の左右両端にそれぞれ接続される。背面部６の中央には、左右一対の受容孔６ａが形成される。各受容孔６ａは、左右方向に延びる。各受容孔６ａは、図１及び図２に示す回収形態で、各突出部８が差し込まれる。
【００３０】
本実施形態においては、図６に示すように、背面部６の延長部７は、背面部６の本体に対して折り曲げにより回動自在に接続される。そして、背面部６の延長部７の上端が折り返し部９の上端と接続される。延長部７及び折り返し部９には、前述の各引っかけ孔７ａ，９ａが形成されている。さらに、折り返し部９の下端には、左右一対の突出部８が形成される。各突出部８は、折り返し部９に折り曲げにより回動自在に接続され、図１及び図２に示す回収形態で、背面部６の各受容孔６ａに差し込まれる。各突出部８は、各受容孔６ａに対して抜き差し自在となっている。また、各突出部８は、図５に示す密封形態で、上面部２の各固定孔２ｄに差し込まれる。
【００３１】
本実施形態においては、図６に示すように、背面部６は底面部５と折り曲げにより回動自在に接続される。すなわち、背面部６の下端と底面部５の後端とが接続されている。底面部５の前端には、折り曲げにより回動自在に接続される左右一対の固定用突部５ａが形成される。各固定用突部５ａは、図１及びに示す回収形態で、補助底面部１０の各固定孔１０ａに差し込まれる。
【００３２】
以上のように構成された折りたたみ式回収箱１は、図３及び図４に示すように折りたたみ形態を取り得る。ここで、図３は折りたたんだ状態の回収箱の、一方から見た斜視図であり、図４は折りたたんだ状態の回収箱の、他方から見た斜視図である。各側面部４が折り曲げ線４ｄにて左右内側へ折りたたまれ、上面部２及び補助底面部１０が前面部３の前面側に重ねられ、底面部５及び折り返し部９が背面部６の背面側に重ねられている。尚、本実施形態においては、背面部６の延長部７も、背面部６の本体の背面側に折り返されている。図３に示すように、折りたたみ形態では、回収箱は略平坦な四角形状となる。本実施形態においては、回収箱は、角型０号サイズの封筒に封入可能となっている。これにより、回収箱を定型封筒に入れて郵送をすることができる。この場合、定型封筒には回収箱の他に整列板１００を同封するとよく、例えば、整列板１００を回収箱の組立方法等が記載された説明書とすると無駄がなく便利である。
【００３３】
ここで、図７及び図８を参照して、折りたたみ形態から回収形態への変形のさせ方について説明する。図７及び図８は、変形途中の折りたたみ式回収箱の斜視図である。
【００３４】
まず、図７に示すように、各側面部４を折り曲げられた状態から平坦な状態とし、各底面当接部４ｃを内側へ折り曲げる。そして、補助底面部１０を前側から下側まで回動させた後、底面部５を背面側から下側まで回動させ、底面部５の各固定用突部５ａを補助底面部１０の各固定孔１０ａに差し込む。これらの作業は、回収箱１を上下逆さにして行うとよい。
【００３５】
次いで、図８に示すように、折り返し部９を背面部６の延長部７から折り返し、折り返し部９の下端の各突出部８を背面部６の各受容孔６ａへ差し込む。この後、整列板１００を、前面部３及び底面部５により形成された角部と背面部６及び突出部８により形成された角部の間に、後方下側へ撓ませた状態で差し入れる。
【００３６】
そして、各側面部４の各上面当接部４ａを内側へ折り曲げる。この後、上面部２を前側から上側まで回動させ、上面部２の差し込み部２ｃを各側面部４の上面当接部４ａと背面部６の前面との間に差し込み、上面部２の各固定用突部２ｂを各上面当接部４ａの各固定孔４ｂに差し込む。これにより、図１及び図２に示す回収形態となる。本実施形態においては、固定用突部２ｂの基端部は本体部分と比べて幅が狭く形成されており、固定孔４ｂに差し込まれると幅狭の部分に上面当接部４ａが入り込んで係合する。これにより、上面部２の各側面部４の浮き上がりが防止される。
【００３７】
回収形態の回収箱１は、床やテーブル等に載置することも、引っかけ孔７ａ，９ａを利用して壁に設置することもできる。ここで、引っかけ孔７ａ，９ａは、延長部７と折り返し部９の二重構造となっているので、高い強度が付与されている。
【００３８】
また、上面部２には投入孔２ａが形成されているので、投入孔２ａの左右外側は比較的脆弱となりやすい。しかし、投入孔２ａと前後位置を合わせて左右端部に固定用突部２ｂが形成され、この部分で上面部２が各側面部４により支持されているため、投入孔２ａの左右外側が補強された状態となっている。
【００３９】
回収箱１には、投入孔２ａから単数枚もしくは複数枚の紙が投入される。このとき、投入された紙は整列板１００により前下がりの向きに整列される。すなわち、投入された紙が回収箱１の内部で無秩序の向きで収容されて、所期の収容枚数を収容する前に回収箱１の内部で紙詰まりをおこし、投入孔２ａが詰まってしまうことはない。尚、回収箱１内に収容すべき紙類の枚数が少ない場合は、整列板１００を設けるない構成とすることもできる。また、整列板１００は可撓性を有していることから、脱着は簡単容易である。
【００４０】
次に、図９を参照して、回収形態から密封形態への変形のさせ方について説明する。図９は、変形途中の折りたたみ式回収箱の斜視図である。
【００４１】
回収作業が終了した後、図９に示すように、各突出部８を背面部６の各受容孔６ａから抜いて、背面部６を背面側から上側へ回動する。各突出部８が各受容孔６ａから抜かれると、整列板１００は上方へ伸張して各受容孔６ａを塞ぐ。この後、延長部７及び背面部６をともに前側へ回動し、各突出部８を上面部２の各固定孔２ｄに差し込み、図５に示す密封状態となる。
【００４２】
図５の密封状態では、回収箱１の投入孔２ａが背面部６により覆われる。これにより、回収箱１の輸送時等に内部に収容された紙が投入孔２ａから飛び出すことはない。また、投入孔２ａを通じて液体等が回収箱１内へ侵入することを防止し、回収箱１内の紙を的確に保護することができる。
【００４３】
さらに本実施形態では、回収箱１の引っかけ孔７ａ，９ａは、上面部２により塞がれる。また、背面部６の各受容孔６ａは、整列板１００により塞がれる。これにより、これらの孔を通じて液体等が回収箱１内へ侵入することを防止し、回収箱１内の紙を的確に保護することができる。
【００４４】
このように、本実施形態の折りたたみ式回収箱１によれば、コンパクトな折りたたみ形態と、紙類を回収可能な回収形態と、投入孔２ａが塞がれた密封形態の、３つの形態をとることができる。特に折りたたみ形態では、略四角形状であり、段ボールや封筒等に入れて回収作業が行われる場所までスペースをとらずに運搬することができる。また、折りたたみ形態を整列板１００とほぼ同じ大きさの略四角形としたので、整列板１００と重ねて取り扱うことができ便利である。
【００４５】
また、この折りたたみ式回収箱１は、回収箱が一重の構造であるので、従来の二重箱構造と比べて嵩張ることがない。また、各側面部４を左右内側へ折りたたむことにより、回収箱１をコンパクトに折りたたむことができる。また、回収作業が終わった後は、紙類を投入可能な回収形態と投入孔２ａが塞がれた密封形態として、集計作業が行われる場所まで運搬することができる。
【００４６】
また、各突出部８を、回収形態においては整列板１００の規制に用い、密封形態においては背面部６の固定に用いるようにしたので、一つの部位で複数の機能を付与することができ、実用に際して極めて有利である。
【００４７】
尚、前記実施形態においては、底面部５が背面部６に重ねられるようにしたものを示したが、前面部３に重ねられるようにしたり、底面部５が前後に分割されて分割片が前面部３及び背面部６にそれぞれ重ねられるようにしてもよい。また、補助底面部１０を設けたものを示したが、補助底面部１０を設けずともよい。
【００４８】
また、前記実施形態においては、背面部６に延長部７を設けて、引っかけ孔７ａ，９ａを形成したものを示したが、延長部７を設けずに折り返し部９を形成することも可能である。
【００４９】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【符号の説明】
【００５０】
１ 折りたたみ式回収箱
２ 上面部
２ａ 投入孔
２ｂ 固定用突部
２ｄ 固定孔
３ 前面部
４ 側面部
４ａ 上面当接部
４ｃ 固定孔
５ 底面部
６ 背面部
７ 延長部
７ａ 引っかけ孔
８ 突出部
９ 折り返し部
９ａ 引っかけ孔
【図１】
0003188784.tif 000003
【図２】
0003188784.tif 000004
【図３】
0003188784.tif 000005
【図４】
0003188784.tif 000006
【図５】
0003188784.tif 000007
【図６】
0003188784.tif 000008
【図７】
0003188784.tif 000009
【図８】
0003188784.tif 000010
【図９】
0003188784.tif 000011